(57)【要約】【課題】【解決手段】液体医療廃物を収集し且つ処分する装置は、流体収集カート１２と、排出及び清浄化ステーション１７３とを有している。流体収集カート１２は、その各々が排出ポート３４及びキャップ５４ａ、５４ｂを有する１対の容器３２ａ、３２ｂを備えている。キャップ５４ａ、５４ｂの各々は、洗浄ポート１５４を有する外側部分１３０と、真空圧ポート５６及び患者用ポート５８を有する内側部分１３２とを備えている。内側キャップ部分１３０は、処分可能であり且つ、外側キャップ部分１３０内に取り外し可能に配置される。カート１２は、調節装置７６を有し、このため、全レベルの真空圧がその他の容器３２ｂに作用する際、低レベルの真空圧を容器３２ａの１つに作用させることができる。流体は患者用ポート５８ａ、５８ｂに接続された吸引管６２ａ、６２ｂを介して容器３２ａ、３２ｂ内に収集される。容器３２ａ、３２ｂの洗浄ポート１５４及び排出ポート３４は、容器３２ａ、３２ｂが一杯であるとき、ステーション１７３における相応する洗浄コネクタ１７６及び排出コネクタ１７８に接続され、これらコネクタを排出し且つ洗浄することができる。
2005518901.tif 000002
【特許請求の範囲】
【請求項１】
医療廃物を収集するカートにおいて、
ａ）複数の車輪により支持された本体と、
ｂ）該本体により支持された容器にして、排出ポートを有する容器と、
ｃ）該容器上に配置されたキャップにして、患者用ポート及び真空圧ポートを有するキャップであって、該患者用ポートが吸引配管と選択的に連通し得るようにされ、該真空圧ポートが真空圧源と選択的に連通し得るようにされた、前記キャップと、
ｄ）前記容器と連通している液体液位検出器にして、排出ステーションと選択的に連通し得るようにされた液体液位検出器と、を備え、
これにより、前記真空圧ポートが真空圧源と接続されたとき、医療廃物が前記患者用ポートに接続された吸引配管を通じて前記容器内に収集され、液体液位センサが排出ステーションと連通するように配置されたとき、容器内の収集された医療廃物を排出ステーションにより液体液位検出器を介して検出することができるようにした、医療廃物を収集するカート。
【請求項２】
請求項１のカートにおいて、該カートの本体上に配置された真空圧調節装置にして、前記容器の前記真空圧ポートと連通した真空圧調節装置であって、容器に作用する真空圧レベルを調節することができるように、真空圧源と選択的に連通し得るようにされた前記真空圧調節装置を更に備える、カート。
【請求項３】
請求項２のカートにおいて、
前記容器が第一の容器であり、
前記本体により支持された第二の容器にして、真空圧ポート及び患者用ポートを含むキャップを有する第二の容器を更に備え、前記患者用ポートが、吸引配管と選択的に連通し得るようにされ、前記真空圧ポートが、真空圧源と選択的に連通し得るようにされ、調節されたレベルの真空圧が第一の容器に作用すると同時に、未調節の全真空圧を第二の容器に作用させることができるようにした、カート。
【請求項４】
請求項２のカートにおいて、前記真空圧調節装置が、その内部に配置されるチャンバを画成するハウジングと、該ハウジング上に配置された制御盤とを更に備え、前記制御盤が、真空圧調節装置の形態を設定する弁ハンドルを有する、カート。
【請求項５】
請求項１のカートにおいて、
前記キャップが、内側部分及び外側部分を有し、該内側キャップ部分が、該キャップ部分に形成された前記患者用ポート及び前記真空圧ポートを有し、
前記外側キャップ部分が、該外側キャップ部分に形成されたボアであって、前記内側キャップ部分がその内部に取り外し可能に受け入れられる前記ボアを有する、カート。
【請求項６】
請求項５のカートにおいて、外側キャップ部分に形成された洗浄ポートを更に備える、カート。
【請求項７】
請求項６のカートにおいて、前記容器内に配置された清浄化ノズルにして、前記洗浄ポートと連通した清浄化ノズルを更に備える、カート。
【請求項８】
請求項１のカートにおいて、
前記キャップが、洗浄ポートを有し、
前記容器内に配置された清浄化ノズルにして、前記キャップの洗浄ポートと連通した清浄化ノズルを更に備える、カート。
【請求項９】
請求項１のカートにおいて、前記真空圧ポートと連通したフィルタを更に備える、カート。
【請求項１０】
請求項９のカートにおいて、前記フィルタが羽毛状煙のフィルタである、カート。
【請求項１１】
請求項１のカートにおいて、
前記キャップが、洗浄ポートを有し、
該洗浄ポートと連通した洗浄コネクタと、前記排出ポートと連通した排出コネクタと、前記液体液位検出器と連通した電気コネクタとを更に備え、前記洗浄コネクタ、前記排出コネクタ及び前記電気コネクタが前記カートの側部パネルに取り付けられるようにした、カート。
【請求項１２】
請求項１１のカートにおいて、容器の排出ポートと排出コネクタとの間の回路内に排出弁を更に備える、カート。
【請求項１３】
請求項１２のカートにおいて、排出弁の形態を設定し得るようにカートの側部パネルに配置された排出弁ハンドルを更に備える、カート。
【請求項１４】
請求項１のカートにおいて、前記液体液位検出器が静電容量センサである、カート。
【請求項１５】
請求項１のカートにおいて、前記本体が、棚を保持する内部空間を画成し、
該棚が、該空間に形成された開口部を有し、該開口部の内部に前記コネクタが支持されるようにした、カート。
【請求項１６】
医療廃物を収集するカートにおいて、
ａ）複数の車輪により支持された本体と、
ｂ）該本体により支持された容器にして、排出ポートを有する容器と、
ｃ）前記容器に配置されたキャップであって、内側部分及び外側部分を有し、該外側キャップ部分が、該外側キャップ部分に形成された洗浄ポート及びボアを有し、前記内側キャップ部分が、真空圧ポート及び患者用ポートを有し、真空圧が真空圧ポートに作用したとき、医療廃物が患者用ポートを通じて容器内に収集されるようにした前記キャップと、
ｄ）内側キャップ部分を外側キャップ部分のボア内に取り外し可能に固定する手段とを備える、医療廃物を収集するカート。
【請求項１７】
請求項１６のカートにおいて、該カートの本体上に配置された真空圧調節装置にして、前記容器の前記真空圧ポートと連通した真空圧調節装置であって、容器に作用する真空圧レベルを調節することができるように、真空圧源と選択的に連通し得るようにされた前記真空圧調節装置を更に備える、カート。
【請求項１８】
請求項１７のカートにおいて、
前記容器が第一の容器であり、
前記本体により支持された第二の容器にして、真空圧ポート及び患者用ポートを含むキャップを有する第二の容器を更に備え、前記患者用ポートが、吸引配管と選択的に連通し得るようにされ、前記真空圧ポートが真空圧源と選択的に連通し得るようにされ、調節されたレベルの真空圧が第一の容器に作用すると同時に、未調節の全真空圧を第二の容器に作用させることができるようにした、カート。
【請求項１９】
請求項１７のカートにおいて、その内部に前記真空圧調節装置が配置されるチャンバを画成するハウジングと、該ハウジング上に配置された制御盤とを更に備え、前記制御盤が、真空圧調節装置の形態を設定する弁ハンドルを有する、カート。
【請求項２０】
請求項１６のカートにおいて、前記容器内に配置された清浄化ノズルにして、前記洗浄ポートと連通した清浄化ノズルを更に備える、カート。
【請求項２１】
請求項１６のカートにおいて、前記真空圧ポートと連通したフィルタを更に備える、カート。
【請求項２２】
請求項２１のカートにおいて、前記フィルタが羽毛状煙のフィルタである、カート。
【請求項２３】
請求項１６のカートにおいて、前記洗浄ポートと連通した洗浄コネクタと、前記排出ポートと連通した排出コネクタと、を更に備え、前記洗浄コネクタ及び排出コネクタが、前記カートの側部パネルに取り付けられる、カート。
【請求項２４】
請求項２３のカートにおいて、容器の排出ポートと排出コネクタとの間の回路内に排出弁を更に備える、カート。
【請求項２５】
請求項２４のカートにおいて、排出弁の形態を設定し得るようにカートの側部パネルに配置された排出弁ハンドルを更に備える、カート。
【請求項２６】
請求項１６のカートにおいて、
前記容器に配置された液体液位センサを更に備える、カート。
【請求項２７】
請求項２６のカートにおいて、前記液体液位検出器が静電容量センサである、カート。
【請求項２８】
請求項１６のカートにおいて、前記本体が、棚を保持する内部空間を画成し、
該棚が、該空間に形成された開口部を有し、前記コネクタが該開口部内に支持されるようにした、カート。
【請求項２９】
医療廃物を収集する容器のキャップ用の取り外し可能な内側キャップ部分において、
キャップが、該キャップに形成されたボアを有する外側キャップ部分を有し、
ａ）真空圧ポート及び患者用ポートが形成された円形面と、
ｂ）内側キャップ部分を外側キャップ部分のボア内に取り外し可能に固定する手段とを備える、取り外し可能な内側キャップ部分。
【請求項３０】
請求項２９の取り外し可能な内側キャップ部分において、ボアが、該ボアに形成され水平スロットを有し、内側キャップ部分を外側キャップ部分のボア内に取り外し可能に固定する手段が、内側キャップ部分の外周に配置されたタブを有し、該タブが、該外周にて外側キャップ部分のボアの水平スロットと係合するような寸法とされる、取り外し可能な内側キャップ部分。
【請求項３１】
請求項２９の取り外し可能な内側キャップ部分において、真空圧ポートと連通したフィルタを更に備える、取り外し可能な内側キャップ部分。
【請求項３２】
請求項３１の取り外し可能な内側キャップ部分において、煙をろ過すべく真空圧ポートと連通した第二のフィルタを更に備える、取り外し可能な内側キャップ部分。
【請求項３３】
液体廃物を収集し且つ処分する装置において、
ａ）流体収集カートであって、
ｉ）複数の車輪により支持された本体と、
ｉｉ）該本体により支持された容器にして、真空圧ポート、患者用ポート、洗浄ポート及び排出ポートを特徴とする容器であって、真空圧ポートが真空圧源に接続され且つ洗浄ポート及び排出ポートが閉じられたとき、液体廃物が患者用ポートを通じて容器内に収集されるようになされた前記容器と、を有する前記流体収集カートと、
ｂ）ステーションであって、
ｉ）シンク、排出コネクタ及び洗浄コネクタを有するキャビネットであって、前記シ
ンク及び前記排出コネクタが排出口と連通し、前記洗浄コネクタが給水源と連通し得るようにされた前記キャビネットと、
ｉｉ）液体廃物で満たされたキャニスタをシンク内に固定する手段と、
ｉｉｉ）液体廃物をキャニスタからシンク及び排出口に排出する手段と、
ｉｖ）残留物をキャニスタ外に洗浄する手段であって、給水源と連通し得るようにされた前記洗浄する手段とを有する前記ステーションと、を備え、
ステーションの排出コネクタ及び洗浄コネクタをカート容器の排出ポート及び洗浄ポートに接続し、容器内に収集された液体廃物をステーションの排出口を通じて排出し且つ給水源からの水にて洗浄することができるようにした、液体廃物を収集し且つ処分する装置。
【請求項３４】
請求項３３の液体廃物を収集し且つ処分する装置において、前記流体収集カートの容器と連通した液体液位センサと、前記ステーションのキャビネット内に配置されたマイクロプロセッサであって、前記液体液位センサと選択的に連通し、マイクロプロセッサがカート容器の排出及び洗浄の順序を設定することができるようにした前記マイクロプロセッサとを更に備える、液体廃物を収集し且つ処分する装置。
【請求項３５】
請求項３４の装置において、液体液位検出器が静電容量センサである、装置。
【請求項３６】
請求項３４の装置において、前記洗浄ポートと連通した洗浄コネクタと、前記排出ポートと連通した排出コネクタと、前記液体液位検出器と連通した電気コネクタとを更に備え、前記洗浄コネクタ、排出コネクタ及び電気的コネクタが前記カートの側部パネルに取り付けられる、装置。
【請求項３７】
請求項３３の装置において、前記カートの本体に配置された真空圧調節装置にして、前記容器の前記真空圧ポートと連通した真空圧調節装置であって、真空圧源と選択的に連通して容器に作用する真空圧レベルを調節することができるようにした前記真空圧調節装置を更に備える、装置。
【請求項３８】
請求項３７の装置において、
前記容器が第一の容器であり、
前記本体により支持され、真空圧ポート及び患者用ポートを有するキャップを有する第二の容器を更に備え、前記患者用ポートが吸引管と選択的に連通し得るようにされ、前記真空圧ポートが真空圧源と選択的に連通し得るようにされ、調節されたレベルの真空圧が第一の容器に作用すると同時に、未調節の全レベルの真空圧が第二の容器に作用するようにした、装置。
【請求項３９】
請求項３３の装置において、前記キャップが、内側部分及び外側部分を有し、
該内側キャップ部分が、該内側キャップ部分に形成された前記患者用ポート及び前記真空圧ポートを有し、前記外側キャップ部分が、該外側キャップ部分に形成された前記洗浄ポート及びボアを有し、前記内側キャップ部分が前記外側キャップ部分のボア内に取り外し可能に受け入れられるようにした、装置。
【請求項４０】
請求項３９の装置において、
前記容器内に配置された清浄化ノズルにして、前記洗浄ポートと連通した清浄化ノズルを更に備える、装置。
【発明の詳細な説明】
【技術分野】
【０００１】
本発明は、全体として、生物学的流体を取り扱う装置、特に、医療処置を行う際に多量の液体廃物を収集し且つ該廃物を安全に処分する装置に関する。
【背景技術】
【０００２】
外科手術及びその他の医療処置にて各種形態の液体医療廃物が一般に発生する。かかる廃物は、患者の血液及びその他の体液を含む。廃物は、また、骨又は軟骨の破片のような固体粒子を含むこともある。一部の医療処置は、一人の患者からかかる廃物を多量に発生させる。例えば、関節鏡手術の際、膝領域を灌注するため食塩溶液が使用される。別の例として、一部の泌尿科の処置において、膀胱、尿管及び（又は）前立腺を洗浄するため食塩溶液が使用される。かかる医療処置は、３０，０００ｃｃもの多量の液体医療廃物を発生させることがある。
【０００３】
液体医療廃物は、エイズ、肝炎及びＭＲＳＡを含む、各種の感染症による汚染の可能性があるため、重大な処分上の問題を招来する。そのため、各種の政府及び取締り機関により液体の医療廃物を取り扱い且つ処分するための規則及び規制が課されている。例えば、新たな規制は、従業者を暴露から保護するため技術的制御方法を使用することを要求している。更に、病院及びその他のヘルスケア施設は、流体を収集、取り扱い及び処分する際に病院の従事者が流体に暴露されることを少なくする方法及び装置を求めている。多量の流体医療廃物を発生させる医療処置は、こうした問題点及び関心を増幅させる。
【０００４】
多量の医療廃物を発生させる医療処置からの流体を収集し、取り扱い且つ、処分するため各種の装置及び方法が使用されている。収集容器は、簡単なバケットから自動化した電子制御式の処理装置まで各種のものがある。
【０００５】
「グラビティ・バケット」と称されるバケットは、手術室の台の脇に置かれ又は医療処置が行われる室内の適宜な位置に置くことができる。可撓性の管が、典型的には、流体廃物が収集される患者の領域とグラビティ・バケットとを接続する。グラビティ・バケットが一杯になったならば、そのバケットは、手術室から運び出し、その中身を排出口に排液する。かかる仕方には幾つかの欠点がある。開放状態のバケットを運び、且つ、そのバケットを手で排出することは、バケットから流体が流出し又は漏れた場合に、感染した可能性のある廃物と人間とが直接、触れる機会を生じさせることになる。更に、流体は、はね返ったり、又は、廃物を処分する人と触れるエーロゾルを形成することになろう。
【０００６】
医療処置を行う際、流体を患者から吸引するため吸入キャニスタが一般に使用される。かかるキャニスタは、容積が約１２００ｃｃないし約３０００ｃｃの範囲にある。吸引キャニスタは、典型的には、真空圧ポートと患者用又は吸引ポートとを有する取り外し可能な蓋を特徴とする。外科的方法を行う際、真空圧ポートは、可撓性の管により病院の真空圧源と接続される一方、吸引ポートは、流体廃物が収集されるところの患者の領域へと第二の可撓性管により接続される。
【０００７】
グラビティ・バケットに対する１つの代替案として、多数の吸引キャニスタをスタンドに配置し、且つ、これらを縦一列に接続することができる。スタンドは、車輪を利用してスタンドを手術室へ動かし、さらに手術室から及びその周辺から動かすことができるようにローラ上に配置された基部を有することを特徴としている。垂直ロッドが、基部から上方に伸びており、該ロッドには多数の水平リングが接続されている。リングの各々は、吸引キャニスタを保持する寸法とされ、また、リングは、互いに間隔をおかれ且つ食い違い状に垂直ロッドに配置されている。スタンド上に配置された（例えば）８つのキャニスタが以下のように縦一列状に接続されている。第一のキャニスタは、その吸引ポートが可撓性の管により患者の手術箇所に接続されている。第一のキャニスタの真空圧ポートは、隣の第二のキャニスタの吸引部分に接続されている。第二のキャニスタの真空圧ポートは、第三のキャニスタの吸引ポートに接続されている。第四ないし第七のキャニスタに対してこの配置が繰り返される。第八のキャニスタの吸引ポートは、第七のキャニスタの真空圧ポートに接続される一方、第八のキャニスタの真空圧ポートは、病院の真空圧源と接続されている。その結果、８つのキャニスタの各々に吸引力が作用し、このため、医療処置により発生した流体はキャニスタ内に収集される。
【０００８】
かかる仕方は、上述の説明から明らかなように、多量の流体を収集することを許容するが、キャニスタの接続は複雑化する。管を間違って接続したならば、この方法に吸引力を利用することはできない。更に、スタンドは、キャニスタが充填された場合、上部がかなり重くなり、このため、カートは操縦が難しくなり、カートを動かすとき、非常な注意を払わなければならない。かかる仕方の結果、感染性の廃物を清浄化し又は処分するため多数のキャニスタが必要とされる。上述した例を使用する場合、一回の処置を行った後、８つのキャニスタを空け、且つ、清浄にすることが必要となる。このことは、極めて時間がかかる。必要とされるキャニスタの数が多数であるため、この仕方は費用高となる。
【０００９】
多量の流体を収集し且つ処分する装置は、オハイオ州、メントーのステリス・コーポレーション（Ｓｔｅｒｉｓ  Ｃｏｒｐｏｒａｔｉｏｎ）により「セーフサイクル（ＳａｆｅＣｙｃｌｅ）４０」、及びミシガン州、カラマズーのストライカー・インスツルメンツ（Ｓｔｒｙｋｅｒ  Ｉｎｓｔｒｕｍｅｎｔｓ）の「ネプチューン・ウェイスト・マネージメントシステム（Ｎｅｐｔｕｎｅ  Ｗａｓｔｅ  Ｍａｎａｇｅｍｅｎｔ  Ｓｙｓｔｅｍ）」により提供される。
【００１０】
その双方がパーカー（Ｐａｒｋｅｒ）に対するものである、米国特許第４，８６３，４４６号及び米国特許第４，９５７，４９１号に記載されたステリスの「セーフサイクル４０」システムは、可動の流体収集カート及び処分ステーションを特徴とする流体収集及び処分装置である。流体収集カートは、カート上に配置されたリザーバと連通する真空圧ポート及び吸引ポートを有している。リザーバは、また、排出口も特徴としている。真空圧配管は、外科的処置を行う際、収集カートの真空圧ポートを病院の真空圧源と接続し、このため、流体は、カートの吸引ポートに接続された可撓性の管を介して患者から吸い出され、且つ、リザーバ内に収集される。収集カートは、カート吸引ポートにより与えられる吸引のレベルをカートにおけるノブにて調節することを許容する真空圧調節装置を特徴としている。外科的処置を行った後、収集カートは、洗浄及び排出コネクタを介して処分ステーションに接続され、リザーバは、時間設定した清浄過程を通して排出され且つ洗浄される。
【００１１】
その双方がウィルバー（Ｗｉｌｂｕｒ）らに対するものである、米国特許第５，９９７，７３３号及び米国特許第６，１８０，０００号に記載された、ストライカーの「ネプチューンシステム」は、廃物収集装置と、煙吸出し装置と、廃物を加熱して廃物を処分のため衛生処理する処理及び処分装置とを有する持運び型の廃物処分装置である。該装置は、病院の真空圧源と接続された真空圧ポートを特徴とする容器を有している。該容器は、また、可撓性の管を介して患者の手術箇所と連通した吸引ポートを有している。その結果、患者からの流体は容器内に収集される。容器の最上部空間と連通した追加的な可撓性の管により、煙は患者の手術箇所から吸い出される。煙は、上部空間からハウジング内に吸い出されるとき、ろ過され、該ハウジングは、追加的なフィルタと、煙をハウジング内に吸引するファンとを保持する。容器は、また、処理装置又は病院の排出口の何れかに接続することのできる排出口を有しており、このため、容器内の流体を排出し又は処理し、その後に、排出することができる。
【００１２】
ステリス及びストライカー装置は効果的であることが判明しているが、これらの装置は、１２００ｃｃないし３０００ｃｃの型式の吸引キャニスタを受け入れることはできない。その結果、病院は、ステリス及びストライカーの機械に加えて、より小型の吸引キャニスタ用の別個の清浄化及び処分装置を購入しなければならない。その結果、病院又はその他のヘルスケア施設の購入費用が増し且つ、人的訓練が増すことになる。２つの別個の装置が必要である結果、メンテナンスコストも増す。また、ステリス及びストライカーシステムは、その複雑さのため、極めてコスト高となる。また、少なくとも部分的にその複雑さのため、ステリス及びストライカーシステムのカートは、その容器が一杯のとき、重い。このことは、カートを押し且つ操縦することを骨の折れるものとする。
【００１３】
従って、本発明の１つの目的は、医療処置を行う際、多量の液体廃物を安全に且つ便利に収集するための装置を提供することである。
本発明の別の目的は、人が触れることなく多量の液体医療廃物を取り扱い且つ処分することを許容する装置を提供することである。
【００１４】
本発明の別の目的は、高吸引力及び低吸引力又は重力による排出吸引力の双方を同時に提供する装置を提供することである。
本発明の別の目的は、購入及びメンテナンスが経済的である、多量の液体医療廃物を収集し、取り扱い且つ処分する装置を提供することである。
【００１５】
本発明の更に別の目的は、形態の設定及び作動が容易である、多量の液体医療廃物を収集し、取り扱い且つ処分する装置を提供することである。
本発明の更に別の目的は、多量の液体医療廃物の取り扱いを容易にする装置を提供することである。
【００１６】
本発明の更に別の目的は、大容積の容器及び小型の個別の吸引キャニスタの双方を受け入れる装置を提供することである。
本発明の更に別の目的は、煙を患者の手術箇所から吸引することもできる、多量の液体医療廃物を収集し、取り扱い且つ処分する装置を提供することである。
【００１７】
その他の目的及び有利な効果は、本明細書の他の部分から明らかになるであろう。
【発明の開示】
【００１８】
液体医療廃物を収集し且つ処分する装置は、医療廃物を収集するカートと、カートの容器を排出し且つ清浄にするステーションとを有している。該カートは、複数の車輪により支持された本体を有している。第一及び第二の容器はカート本体に取り付けられており、これら容器の各々は、排出ポートと、該排出ポートに配置されたキャップとを有している。キャップの各々は、内側部分及び外側部分を有している。キャップの内側部分は、該キャップ部分に形成された患者用ポートと、真空圧ポートとを有している。キャップの外側部分は、該外側部分に形成されたボアを有しており、該ボア内にキャップの内側部分が除去可能に受け入れられる。また、キャップの外側部分には洗浄ポートも形成されている。清浄化ノズルが容器内に配置され且つ洗浄ポートと連通している。多分、選択的な羽毛状煙のフィルタを有するであろうフィルタが容器の真空圧ポートの各々と連通している。液体液位検出器も容器と連通している。
【００１９】
カートは、また、該カートに配置された真空圧調節装置も有している。該調節装置は、容器の１つの真空圧ポート及び病院の真空圧源と選択的に連通しており、低レベルの真空圧を容器に作用させることができる。その他の容器の真空圧ポートは調節装置を迂回し、このため、全レベルの真空圧が同時に非調節状態の容器に作用する。その内部に真空圧調節装置が配置されるチャンバを画成するハウジングは、弁ハンドルを有する制御盤を特徴としており、このため、容器により吸引される真空圧圧を制御することができる。吸引配管が容器の患者用ポートに取り付けられており、このため真空圧圧が容器に作用するとき、液体医療廃物が容器の各々の内部に吸引される。
【００２０】
洗浄コネクタが容器の清浄ポートと連通し、排出コネクタが容器の排出ポートと連通し、電気コネクタが液体液位検出器と連通している。洗浄コネクタ、排出コネクタ及び電気コネクタがカートの側部パネルに取り付けられて、医療処置を行う際、カートの容器が一杯となった後、排出及び清浄化ステーションにおける相応するコネクタに接続される。排出及び清浄化ステーションに接続されたとき、カートの容器は排出され且つ洗浄される。液体液位検出器が電気コネクタを通じてステーションと連通するように配置されたとき、容器内の収集された医療廃物は、ステーションのマイクロプロセッサにより液体液位検出器を介して検出することができる。その結果、マイクロプロセッサは容器の排出及び洗浄サイクルの順序化を制御することができる。排出及び清浄ステーションは、吸引キャニスタを清浄にするために使用することもできる。
【００２１】
本発明の実施の形態に関する以下の詳細な説明は、特許請求の範囲及び添付図面と共に読んだとき、本発明の性質及び範囲をより完全に理解することを可能にする。
【発明の実施の形態の説明】
【００２２】
本発明の装置における１つの好ましい実施の形態による流体収集カートは、図１ないし図３に全体として参照番号１２で示されている。該カートは、その底部の四隅にて車輪１６により支持されたキャビネット様本体１４を特徴としている。対向するハンドル１８ａ、１８ｂがカート本体１４の頂部に固定されてカートを押し、引張り且つ操作することを容易にする。該カート１２は、強度、耐久性及び軽量が得られるようにプラスチックで製造されることが好ましい。
【００２３】
カート本体１４は、その内部に棚２４が取り付けられる内部空間２２を画成する。図示しないが、カートには扉を選択的に設けて、扉を閉めたとき、内部空間２２が外部から見えないようにすることができる。棚２４は、その内部に瓶形の容器３２ａ、３２ｂが固定される１対の開口部２６ａ、２６ｂを特徴とする。容器３２ａ、３２ｂは、清浄し易いようにガラスで出来ており且つ、各々が約２２．７１２５リットル（６ガロン）の液体を保持するような寸法とされていることが好ましい。
【００２４】
図２及び図３に示すように、容器３２ａ、３２ｂの各々の底部には、排出ポート３４ａ、３４ｂがそれぞれ設けられている。図２に示すように、排出ポート３４ｂは、配管４２により排出弁３６の入口に接続されている。排出弁３６の出口は、配管４４により、図１に参照番号４６ｂで示した、排出コネクタと連通している。排出弁３６及び排出コネクタ４６ｂの双方は、カート１２の側部パネル５２に取り付けられている。排出弁３６は、排出弁ハンドル４８ｂにより開き且つ閉じることができる。排出弁３６が閉じられたとき、排出コネクタ４６ｂと容器３２ｂの排出ポート３４ｂとの間の連通は阻止される。排出弁３６が開いたとき、容器３２ｂ内の流体は、排出コネクタ４６ｂまで流れる。排出コネクタ４６ａは、排出弁ハンドル４８ａにより制御される弁（図示せず）を通じて、同様の仕方にて容器３２ａの排出ポート３４ａに接続される。明確化のため、関係した管は図２にて省略してある。更に、全ての管は、明確化のため、図３にて省略してある。排出弁ハンドル４８ａ、４８ｂは、医療処置を行う際、生物学的流体を収集するためカートが使用されるとき、それらの相応する弁が閉じられるような形態とされている。
【００２５】
容器３２ａ、３２ｂの頂部は、カート本体１４の最上面５５を貫通して伸びるキャップ５４ａ、５４ｂによりそれぞれ閉じられる。キャップ５４ａ、５４ｂは、プラスチックで出来ており且つ、真空圧ポート５６ａ、５６ｂ及び患者用又は吸引ポート５８ａ、５８ｂを特徴とすることが好ましい。図２に図示するように、吸引ポート５８ａ、５８ｂは、流体廃物が収集される患者の領域に達する可撓性の管により吸引配管６２ａ、６２ｂに接続されている。真空圧ポート５６ａ、５６ｂを介して真空圧が容器に作用したとき、流体は、管６２ａ、６２ｂを介して患者から吸引され且つ、容器３２ａ、３２ｂ内にそれぞれ収集される。真空圧ポート５６ａ、５６ｂは、カート本体１４の最上面５５に取り付けられた調節装置ハウジング７２に、可撓性の管６４ａ、６４ｂを介してそれぞれ接続されている。図８に示すように、真空圧ポートには、ポーレックス（Ｐｏｒｅｘ）フィルタ１４６が設けられており、該ポーレックスフィルタ１４６は、ろ過すること（以下に説明するように）に加えて、キャニスタが一杯のとき、病院の真空圧源と協働して吸引を自動的に停止させる。
【００２６】
図４に示すように、ハウジング７２は、１２７ｍｍ（５インチ）Ｈｇに設定されることが好ましい調節装置７６と、関係した弁及び配管とを特徴とするチャンバ７４を画成する。より具体的には、配管６４ａは、調節装置７６に達している。真空圧源の配管８２が病院の真空圧源と接続され且つ、逆止弁８４及び制御弁８６を通じて調節装置７６と連通している。バイパス配管９２が配管８２をバイパス弁９４を通じて配管６４ａと接続する。第二の真空圧源の配管９６は、第二の病院の真空圧源と連通するように配置することができ、また、逆止弁１０２を通じて配管６４ｂ及びクロスオーバ配管９８と連通する。クロスオーバ配管９８には、制御弁１０４が設けられており、また、該クロスオーバ配管９８は、病院の真空圧源の配管８２と連通している。
【００２７】
図１に示すように、ハウジング７２は、弁ハンドル１０８ａ、１０８ｂ、１１０をそれぞれ特徴とする制御盤１０６を備えることを特徴としている。３つの弁ハンドルの全ては、２つの位置の間で操作することができる。弁ハンドル１０８ａ、１０８ｂは、共に「開き（ＯＰＥＮ）」設定位置及び「閉じ（ＣＬＯＳＥＤ）」設定位置の間で切り換えることができる。弁ハンドル１１０は、「全（高真空圧）」（ＦＵＬＬ）設定位置を「低（低真空圧）／重力による排出」（ＬＯＷ／ＧＲＡＶ）設定値の間にて切り換えることができる。弁ハンドル１０８ａは、開き位置と閉じ位置との間で図４の制御弁８６の形態を設定し、弁ハンドル１０８ｂは、開き位置と閉じた位置の間で図４の制御弁１０４の形態を設定し、更に、弁ハンドル１１０は、図４の制御弁９４の形態を設定する。弁ハンドル１１０の「全」設定位置は、バイパス弁９４の開き状態に相応し、また、弁ハンドル１１０の「低／重力による排出」設定位置は、バイパス弁９４に対する閉じた状態に相応する。
【００２８】
医療処置を行う際の作動モードは、弁ハンドル１０８ａ、１０８ｂの形態に、また、真空圧源の配管８２、９６の一方又はその双方が病院の真空圧源に接続されているかどうかに依存する。最初に、１つの真空圧源の配管８２のみが病院の真空圧源に接続されている状態を考えた場合、弁１０４が開いたとき（図１の弁ハンドル１０８ｂを介して）、矢印１１２、１１４で示すように、配管６４ｂ、９８、８２を通じて容器３２ｂに約６３５ｍｍ（２５インチ）Ｈｇの全真空圧が作用する。
【００２９】
カートが配管８２を通じて単一の病院の真空圧源に接続されて、容器３２ｂに全真空圧が作用するとき、容器３２ａは、弁ハンドル１０８ａ（図１）が「開き」位置に配置されると、約１２７ｍｍ（５インチ）Ｈｇの低又は重力による排出真空圧を同時に吸引し、弁８６は開き、弁ハンドル１１０は「低／重力による排出」位置に配置され、このため、バイパス弁９４は閉じられる。図４を参照すると、この結果、矢印１１６で示すように、真空圧が配管６４ａに作用し、このため、調節装置７６を通じて配管８２により容器３２ａに真空圧圧が作用し、配管６４ａ及び容器３２ａに作用する真空圧は、調節装置７６により１２７ｍｍ（５インチ）Ｈｇに制限される。その結果、本発明の装置は、医療処置を行う際、吸引配管６２ｂ、６２ａ（図２）を介して、高レベル吸引力及び重力による排出作用の双方を同時に提供する。
【００３０】
図１の相応する弁ハンドル１０８ｂを「閉じた」位置に配置することにより、弁１０４が遮断されたならば、容器３２ｂに作用する真空圧は無く、「低／重力による排出」と「全」位置との間にてそれぞれ切り換えることにより、約１２７ｍｍ（５インチ）Ｈｇの低真空圧又は約６３５ｍｍ（２５インチ）Ｈｇの高真空圧の何れかを弁ハンドル１１０を容器３２ａに作用させることができる。弁ハンドル１１０が「全」位置に設定されたとき、バイパス弁９４は開き、配管８２により配管６４ａに、従ってキャニスタ３２ａに作用する真空圧は調節装置７６を迂回する。勿論、図１の相応する弁ハンドル１０８ａを「開き」位置に配置して、弁８６を開けなければならない。
【００３１】
配管８２、９６の双方が病院の真空圧源に接続され、弁８６、１０４、９４が開いているならば、約６３５ｍｍ（２５インチ）Ｈｇの真空圧が容器３２ａ、３２ｂの双方に作用する。
【００３２】
図１ないし図３に参照番号１２０ａ、１２０ｂで示すように、液体液位検出器が容器３２ａ、３２ｂの各々の底部に配置されている。当該技術分野にて既知のその他の装置を使用することができるが、液体液位検出器１２０ａ、１２０ｂは、静電容量センサであることが好ましい。図２に示すように、静電容量センサ１２０ｂは、図１にカート本体の側部パネル５２に取り付けた状態で示した電気コネクタ１２２ｂに、電線１２４により接続されている。センサ１２０ａは、同様の仕方にて図１の電気コネクタ１２２ａに接続されているが、明確化のため、相応する電線は図２にて省略してある。以下に説明するように、センサ１２０ａ、１２０ｂ、電気コネクタ１２２ａ、１２２ｂは、排出コネクタ４６ａ、４６ｂと共に、排出及び洗浄サイクル又は清浄化サイクルの際、使用できる。
【００３３】
容器３２ｂの拡大した詳細図が図５、図７及び図８に示してある。容器３２ａは同一の構造であることを特徴とすることを理解すべきである。図５ないし図８に示すように、プラスチックキャップ５４ｂは外側部分１３０及び内側部分１３２を有している。図７及び図８に示すように、キャップ５４ｂの外側部分１３０は、ねじ付き内面１３４を有する下方に伸びるスカート１３３を特徴としている。外側キャップ部分１３０は、ねじ付き内面１３４を介して容器３２ｂのねじ付きの頂部開口部１３６にねじ込まれており且つ、ボア１３８を特徴としている。
【００３４】
キャップ５４ｂの内側部分１３２は、その円形面１４１に形成された真空圧ポート５６ｂ及び患者用ポート又は吸引ポート５８ｂを特徴としている。更に、図６に示すように、内側キャップ部分１３２は、その円周１４４に形成された１対の対向するタブ１４２ａ、１４２ｂを有している。相応する水平スロット１４５ａ、１４５ｂが外側キャップ部分１３０のボア１３８内に形成されている。タブの幅に相応する１対の垂直通路１４７ａ、１４７ｂが外側キャップ部分１３０の最上面と水平スロット１４５ａ、１４５ｂの間に形成されている。その結果、図６に破線の矢印１４９で示すように、内側キャップ部分１３２のタブ１４２ａ、１４２ｂを垂直通路１４７ａ、１４７ｂを介して水平スロット１４５ａ、１４５ｂ内に下降させ且つ、矢印１５１にて示した方向に曲げて内側キャップ部分１３２が外側キャップ部分１３０のボア１３８内に係止されるようにする。
【００３５】
その結果、使用後処分するため、内側キャップ部分１３２を、外側キャップ部分１３０から除去することができる。このことは、医療処置を行う際、医療処置からの汚染された可能性のある生物学的流体が吸引ポート５８ｂを通って流れる点にて望ましい。更に、図８に示すように、真空圧ポート５６ｂには、ポーレックスフィルタ１４６が設けられている。このフィルタは、細菌及び流体が病院の真空圧源に入るのを防止する。このように、使用後、ポーレックスフィルタを処分することが望ましい。この処分は、内側キャップ部分１３２を処分することで実現される。
【００３６】
図６に示したものに代えて、その他の一時的な内側キャップ部分の締結装置を使用することができることを理解すべきである。例えば、外側キャップ部分１３０のボア１３８及び内側キャップ部分１３２の外周１４４には、合わさるねじ部を設け、内側キャップ部分が外側キャップ部分のボア内にねじ込まれるようにすることができる。
【００３７】
外科的方法を行う際、患者の手術箇所には、煙を発生させる方法が行われる。かかる方法の例は、焼灼及び穿孔を含む。かかる煙は、悪臭及び感染の可能性のある空中粒子を含む。その結果、衛生上の理由のため、患者の外科手術箇所からかかる煙を除去しなければならない。図８に仮想線１５２で示すように、羽毛状煙のフィルタを図１及び図２の線６４ｂと直列となるように真空圧ポート５６ｂと選択的に接続することができる。かかるフィルタは、当該技術にて既知であり且つ、キャニスタ３２ｂが煙を図２の吸引管６２ｂを介して患者の外科手術箇所から収集することを許容する。これを実現するためには、全吸引圧（約６３５ｍｍ（２５インチ）Ｈｇ）をキャニスタ３２ｂに作用させなければならない。
【００３８】
図５ないし図７に示すように、外側キャップ部分１３０には、洗浄ポート１５４が設けられる。図７に示すように、洗浄ポート１５４は、容器の３２ｂの内部に下方に伸びる、好ましくは、プラスチックで出来た導管１５６と連通している。図８に参照番号１６２で示した清浄化ノズルが導管１５６の一端に配置されている。清浄化ノズル１６２は、該ノズルに液体が供給されたとき、回転し、このため、ノズルに流れる清浄化溶液が容器３２ｂの内面に噴霧されるようにすることが好ましい。
【００３９】
場合によっては、ノズル１６２により提供される噴霧により容器３２ｂの圧力は急激に上昇する。容器３２ｂ内の圧力上昇により、液体は導管１５６内で逆流し、１５２．４ｍｍ（６インチ）Ｈｇないし２０３．２ｍｍ（８インチ）Ｈｇのような高圧となることがある。この状況を阻止するためには、「シルクハット」形の細片１６３を選択的に導管１５６に追加してノズル１６２の下方を伸びるようにする。シルクハット細片は、導管からの液体が流れるときに通る多数のオリフィス１６４を特徴とする。次に、液体は、シルクハット細片の縁部１６６の上を階段状に流れる。その結果、容器３２ｂ内の水頭圧力は低下し、このため、導管１５６内への流体の逆流は生じない。
【００４０】
図１及び図２を参照すると、洗浄ポート１５４は、可撓性の管１７２を介して洗浄コネクタ１６８ｂに接続される。容器３２ａのキャップの洗浄ポートは、同様の仕方にて図１の洗浄コネクタ１６８ａと接続される。洗浄コネクタ１６８ａ、１６８ｂの双方は、カート本体１４の側部パネル１５２に取り付けられる。電気コネクタ１２２ａ、１２２ｂ及び排出コネクタ４６ａ、４６ｂの場合のように、洗浄コネクタ１６８ａ、１６８ｂは、以下に説明する排出及び清浄化サイクルの際に使用できる。洗浄コネクタ１６８ａ、１６８ｂは、コネクタが管に接続されていないとき、封止し、このため、流体を収集する際、真空圧が容器３２ａ、３２ｂ内で作用するようにする一体形の弁を特徴としている。
【００４１】
医療処置が完了したとき、すなわち容器３２ａ、３２ｂが一杯になったとき、配管８２、９６（図１）を病院の真空圧源から切り離し、また、吸引管６２ａ、６２ｂ（図２）を吸引ポート５８ａ、５８ｂから切り離す。次に、キャップを吸引ポートに配置し、カートを手術室から排出及び清浄化ステーションを保持する別個の室に移動させる。以下に説明するように、ミズリー州、リバーサイドのドーノッチ・メディカル・システムズ（Ｄｏｒｎｏｃｈ  Ｍｅｄｉｃａｌ  Ｓｙｓｔｅｍｓ）・インコーポレーテッドが販売する「レッドアウェイＩＩ（ＲｅｄＡｗａｙ  ＩＩ）」システムの改造型式のものは、カートに対する排出及び清浄化ステーションとして使用することができる。その内容を参考として引用し本明細書に含めた、出願係属中の米国特許出願第０９／９７０，２１５号には、レッドアウェイＩＩシステムが詳細に記載されている。
【００４２】
図９には、全体として参照番号１７３で示した、排出及び清浄化ステーションに接続されたカート１２が図示されており、該カートは、カート１２の容器３２ｂを排出し且つ清浄化することができる。カート１２と同様に、排出及び清浄化ステーション１７３は、電気コネクタ１７４、洗浄コネクタ１７６及び排出コネクタ１７８をそれぞれ特徴としている。図９に示すように、カートの電気コネクタ１２２ｂ、洗浄コネクタ１６８ｂ及び排出コネクタ４６ｂは、各々、配管１８２及び可撓性の管１８４、１８６によりそれぞれ清浄化ステーション１７３のハウジング１８１上に配置された相応するコネクタに接続されている。これらの接続が為された後、排出弁のハンドル４８ｂを開ける。次に、排出及び清浄化過程の全体をステーション１７３の制御盤１８８から制御することができる。
【００４３】
図１０に示すように、排出及び清浄化ステーション１７３は、電気コネクタ１７４、１２２ｂ、配管１８２、配管１２４（図２）を介して静電容量センサ１２０ｂと連通するマイクロプロセッサ１９２を有している。該マイクロプロセッサは、また、清浄化ステーションの制御盤１８８、排出ポンプ１９４及び洗浄ポンプ１９６とも連通している。洗浄ポンプの入口は、給水源２０２と連通している。漂白剤２０６又はその他の添加剤の供給分を保持するディスペンサ２０４は、排出及び清浄化ステーションのキャビネット１８１内に配置され且つ、給水源２０２及び洗浄ポンプ１９４の入口と連通している。排出ポンプは、病院又はヘルスケア施設の排出装置２０８と連通している。排出ポンプ１９６及び洗浄ポンプ１９４は、排出コネクタ１７８及び洗浄コネクタ１７６とも連通している。
【００４４】
マイクロプロセッサ１９２は、自動化した制御弁１９７とも連通している。制御弁１９７は、ポンプ１９４からの漂白剤及び水の混合体をステーションのシンク２２４内に配置された洗浄コネクタ１７６又は噴霧ジェット２３４、２３６の何れかに流すような形態とすることができる。該マイクロプロセッサは、排出及び清浄化ステーションのキャニスタ取り扱い機構１９９とも連通している。以下に説明するように、これらの構成要素は、排出及び清浄化ステーションが吸引キャニスタを排出し且つ、洗浄することを許容し且つ、ステーションがカート１２の容器を排出し且つ、洗浄するとき、不作動とされる。
【００４５】
図１０のマイクロプロセッサ１９２により行われる過程は、図１１に図示されている。排出サイクルが制御盤１８８上の「始動」ボタンにより開始されたとき、マイクロプロセッサは、最初に、静電容量センサ１２０ｂ（図１ないし図３）を介して容器３２ｂ内に液体廃物が存在するかどうかを点検する。以下により詳細に説明するように、液体廃物が容器３２ｂ内にあるならば、マイクロプロセッサは弁１９７の形態を再設定し且つ、キャニスタの取り扱い機構１９９を不作動にする。マイクロプロセッサは、また、制御盤１８８の「排出サイクル」のインジケータライトを点灯させ且つ、排出ポンプ１９６を作動させ、このため、容器の中身は、配管４２（図２）、配管１８６（図９）を通じて排出され且つ、排出装置２０８に向けられる。
【００４６】
静電容量センサ１２０ｂ（図１ないし図３）がマイクロプロセッサに対して、液体廃物が容器から排出されたと表示したとき、洗浄ポンプ１９４が作動される。また、制御盤１８８の「排出サイクル」インジケータライトは消灯し、「洗浄サイクル」インジケータライトが点灯する。洗浄ポンプ１９４は、水及び漂白剤の混合体から成る流れを給水源２０２及びディスペンサ２０４からそれぞれ配管１８４、１７２（図９）を通じて容器３２ｂのキャップ５４ｂの洗浄ポート１５４に送る。その結果、容器３２ｂの内部には、図８のノズル１６２により水及び漂白剤の混合体が噴霧される。排出ポンプ１９６は、作動されたままであり、このため、漂白剤、水及び残留物の混合体は容器から吸引され且つ、排出装置２０８に向けられる。
【００４７】
ある時間の経過後、洗浄ポンプを不作動にする。排出ポンプは運転を続け、容器３２ｂ内の全ての液体が排出されるようにする。静電容量センサ１２０ｂが容器が空であることを示すとき、洗浄ポンプを再度作動させ、洗浄サイクルが繰り返されるようにする。マイクロプロセッサ１９２は、例えば、図１１に示したサイクルカウンタを使用して行われた洗浄サイクルの回数の追跡を続ける。好ましくは、洗浄サイクルは２回又は３回行われるようにする。最後の洗浄サイクルが行われたとき、制御盤１８８の「洗浄サイクル」ライトが消灯し、排出ポンプは不作動とされる。次に、排出及び洗浄サイクルが完了する。次に、内側キャップ部分１３２（図５ないし図８）を除去し且つ処分することにより、容器３２ｂは再使用し得るように準備が為される。その後、新たな交換内側キャップ部分１３２を取り付ける。
【００４８】
容器３２ｂの排出及び洗浄が完了したならば、排出弁ハンドル４８ｂを閉じ且つ、ステーション１７３のコネクタ１７４、１７６、１７８をコネクタ１２２ｂ、１６８ｂ、４６ｂから切り離す。次に、ステーションのコネクタをカートコネクタ１２２ａ、１６８ａ、４６ａに再度取り付け、排出弁ハンドル４８ａを開いて容器３２ａを排出し且つ洗浄し得るようにすることができる。
【００４９】
米国特許出願第０９／８７０，２１５号に記載されているように、カート１２が存在しないとき、排出及び清浄化ステーションを選択的に使用して吸引キャニスタを清浄にすることができる。図９を参照すると、満杯のキャニスタ２２０をステーションのハウジング１８１内に配置されたシンク２２４内に固定されたブラケット２２２内に配置する。ステーションの蓋２２６を閉じ、制御盤１８８の「始動」ボタンを押した後、キャニスタの蓋２２８は自動的に除去され、キャニスタは、キャニスタの取り扱い機構（図１０の１９９）により水平軸線の周りを回転する。次に、キャニスタの中身をシンク２２４内に排出し且つ、排出管２３２、２０８（図９及び図１０）に排出する。次に、噴霧ジェット２３４、２３６は上下逆さのキャニスタに対し漂白剤及び水の混合体を噴霧する（図９及び図１０）。図１１に示すように、カート１２の静電容量センサが排出及び清浄化ステーション１７３に接続され、ステーションの「始動」ボタンを押したならば、ステーションのマイクロプロセッサは、満杯のカート容器の存在を認識し且つ、ポンプからの液体がコネクタ１７６に向けられ、キャニスタの取り扱い機構１９９も不作動とされ、キャニスタの清浄化工程を行うことができないように図１０の弁１９７の形態を変更する。
【００５０】
図９ないし図１１に関して、米国特許出願第０９／９７０，２１５号の排出及び清浄化機械について説明するが、その他のキャニスタの排出及び清浄化ステーション又は装置は、カート１２の中身を清浄にし得るよう容易に改変することができる。これらのステーションは、米国特許第６，２６３，８８７号及び米国特許第５，９０１，７１７号に記載されたものを含み、後者の米国特許のものは、ドーノッチ・メディカル・システムズ・インコーポレーテッドから「レッドアウェイＩ」システムとして販売されている。上記の特許の双方は、ドーノッチ・メディカル・システムズ・インコーポレーテッドが所有するものである。
【００５１】
本発明の好ましい実施の形態を示し且つ説明したが、当該技術分野の当業者には、特許請求の範囲によりその範囲が規定される、本発明の精神から逸脱せずに変更及び改変を為すことが可能であることが明らかであろう。
【図面の簡単な説明】
【００５２】
【図１】本発明の装置に対する１つの実施の形態における流体収集カートの斜視図である。
【図２】図１のカートの側面図である。
【図３】図２の線３−３に沿ったカートの断面図である。
【図４】図１ないし図３のカートの調節装置ハウジングの概略図である。
【図５】図１ないし図３のカート容器の１つを示す拡大斜視図である。
【図６】図５の容器キャップの分解頂面図である。
【図７】図５の容器の一部切欠いた側面図である。
【図８】図７の線８−８に沿った容器の断面図である。
【図９】排出及び清浄化ステーションに接続された図１のカートの一部切欠いた斜視図である。
【図１０】図９の排出及び清浄化ステーションの概略図である。
【図１１】図１０のマイクロプロセッサのソフトウェアプログラムにおけるステップを示すフロー図である。
【図１】
2005518901.tif 000003
【図２】
2005518901.tif 000004
【図３】
2005518901.tif 000005
【図４】
2005518901.tif 000006
【図５】
2005518901.tif 000007
【図６】
2005518901.tif 000008
【図７】
2005518901.tif 000009
【図８】
2005518901.tif 000010
【図９】
2005518901.tif 000011
【図１０】
2005518901.tif 000012
【図１１】
2005518901.tif 000013
【国際調査報告】
2005518901.tif 000014